(57)【要約】【課題】本発明は、簡単な構成により、トラクタに搭載するようにして、作業者の負担を軽減するようにした、トラクタ搭載用動力噴霧器を提供することを目的とする。【解決手段】トラクタの前部に装着される取付部材１１と、上記取付部材上に搭載される動力噴霧器本体１２と、上記動力噴霧器本体から延びる肥料・農薬等の吹き出し用ノズル１３と、上記吹き出し用ノズルを前方に向かって左右に揺動可能に支持する支持部材１４と、上記支持部材を左右に揺動させる揺動操作部１５と、を含むように、トラクタ搭載用動力噴霧器１０を構成する。【選択図】　　　　図１
2004049165.tif 000002
【特許請求の範囲】
【請求項１】
トラクタに装着される取付部材と、
上記取付部材上に搭載される動力噴霧器本体と、
上記動力噴霧器本体から延びる肥料・農薬等の吹き出し用ノズルと、
上記吹き出し用ノズルを前方に向かって左右に揺動可能に支持する支持部材と、
上記支持部材を左右に揺動させる揺動操作部と、
を含んでいることを特徴とする、トラクタ搭載用動力噴霧器。
【請求項２】
上記吹き出し用ノズルが上記動力噴霧器本体の前方部に取り付けられていることを特徴とする、請求項１に記載のトラクタ搭載用動力噴霧器。
【請求項３】
上記吹き出し用ノズルが上記動力噴霧器本体の側方部に取り付けられていることを特徴とする、請求項１に記載のトラクタ搭載用動力噴霧器。
【請求項４】
上記取付部材が、トラクタの前部領域に配置されていることを特徴とする、請求項１から３の何れかに記載のトラクタ搭載用動力噴霧器。
【請求項５】
上記揺動操作部が、トラクタの周囲に沿って引き回され且つ上記支持部材と接続されたロープ又はワイヤーにより構成されていることを特徴とする、請求項１から４の何れかに記載のトラクタ搭載用動力噴霧器。
【請求項６】
上記ロープ又はワイヤーが、トラクタの運転位置付近に引き回されていることを特徴とする、請求項１から５の何れかに記載のトラクタ搭載用動力噴霧器。
【請求項７】
動力噴霧器本体の駆動制御を行なう制御部が、トラクタ上に配置されていることを特徴とする、請求項１から６の何れかに記載のトラクタ搭載用動力噴霧器。
【発明の詳細な説明】
【０００１】
【発明の属する技術分野】
本発明は、例えば肥料・農薬等（以下肥料等と称する）を噴霧するための動力噴霧器に関するものである。
【０００２】
【従来の技術】
従来、このような動力噴霧器は、肥料等を貯蔵するタンクと、タンクから供給される肥料等を噴霧する噴霧ノズルと、タンクから噴霧ノズルに対して肥料等を供給する肥料等供給部と、肥料等供給部を駆動する駆動部と、から構成されており、タンク，肥料等供給部及び駆動部が噴霧器本体内に収容されると共に、噴霧ノズルは、噴霧器本体から接続ホースを介して外側に延びている。
【０００３】
このような動力噴霧器を使用する場合には、作業者は、噴霧器本体を背中に背負って、噴霧ノズルを手で持って左右に揺動させながら、肥料・農薬等を噴霧すべき田畑等移動することにより、田畑等の所望の箇所に肥料・農薬等を噴霧するようにしている。
これにより、作業者が自らの判断により、噴霧ノズルを左右に揺動させることにより、田畑等の各所に対して適宜に、きめ細かい肥料・農薬等の噴霧を行なうことができるようになっている。
【０００４】
【発明が解決しようとする課題】
しかしながら、このような動力噴霧器は、噴霧器本体自体が比較的重く、さらにタンク内に貯蔵される肥料等も重いことから、作業者の負担になり、重労働を強いられていた。
特に水を引いた状態の水田における肥料・農薬の散布の際には、作業時の足場が悪く、より一層作業者の負担となっている。近年の農村労働者の高齢化に伴って、さらにこのような傾向が顕著となると共に、田畑等の区画整理や広面積化により、上述した作業者の負担はさらに増大してしまうという問題があった。
【０００５】
本発明は、以上の点から、簡単な構成により、トラクタに搭載するようにして、作業者の負担を軽減するようにした、トラクタ搭載用動力噴霧器を提供することを目的としている。
【０００６】
【課題を解決するための手段】
上記目的は、本発明によれば、トラクタに装着される取付部材と、上記取付部材上に搭載される動力噴霧器本体と、上記動力噴霧器本体から延びる肥料・農薬等の吹き出し用ノズルと、上記吹き出し用ノズルを前方に向かって左右に揺動可能に支持する支持部材と、上記支持部材を左右に揺動させる揺動操作部と、を含んでいることを特徴とする、トラクタ搭載用動力噴霧器により、達成される。
【０００７】
本発明によるトラクタ搭載用動力噴霧器は、好ましくは、上記吹き出し用ノズルが上記動力噴霧器本体の前方部に取り付けられている。この場合は、トラクタ搭載専用の動力噴霧器として使用される。
【０００８】
本発明によるトラクタ搭載用動力噴霧器は、好ましくは、上記吹き出し用ノズルが上記動力噴霧器本体の側方部に取り付けられている。この場合は、既存の背負い動力噴霧器をトラクタに搭載して使用される。
【０００９】
本発明によるトラクタ搭載用動力噴霧器は、好ましくは、上記取付部材が、トラクタの前部領域に配置されている。
【００１０】
本発明によるトラクタ搭載用動力噴霧器は、好ましくは、上記揺動操作部が、トラクタの周囲に沿って引き回され且つ上記支持部材と接続されたロープ又はワイヤーにより構成されている。
【００１１】
本発明によるトラクタ搭載用動力噴霧器は、好ましくは、上記ロープ又はワイヤーが、トラクタの運転位置付近に引き回されている。
【００１２】
本発明によるトラクタ搭載用動力噴霧器は、好ましくは、動力噴霧器本体の駆動制御を行なう制御部が、トラクタ上に配置されている。
【００１３】
上記構成によれば、トラクタに装着された取付部材上に動力噴霧器本体が載置されることにより、作業者は、トラクタを操縦して移動しながら、動力噴霧器を動作させる。そして、揺動操作部を操作することにより支持部材を左右に揺動させて、吹き出し用ノズルを左右に揺動させることにより、トラクタの進行方向の両側の比較的広い範囲に亘って、動力噴霧器から吹き出し用ノズルを介して、肥料・農薬等を噴霧することができる。
【００１４】
この場合、動力噴霧器本体がトラクタ上に搭載されることになるので、作業者は動力噴霧器本体を背中に背負う必要がなく、トラクタの運転席に座った状態で、動力噴霧器により肥料・農薬等を噴霧することができる。これにより、特に水を引いた水田や、広い面積の田畑等であっても、作業者の負担が大幅に軽減され得ることになる。
又、吹き出し用ノズルは、作業者がトラクタの進行方向の田畑等を観察しながら、自らの経験と判断により、左右に揺動されることにより、適宜の肥料・農薬等の噴霧が行なわれ得る。
さらに、動力噴霧器本体は、市販のものがそのまま利用できるので、コストが高くなってしまうようなこともない。
尚、トラクタ掲載専用の動力噴霧器を使用する場合には、上述のように上記吹き出し用ノズルが上記動力噴霧器本体の前方部に取り付けられているので、噴霧作業がより円滑、効率良く行え得る。
【００１５】
上記取付部材が、トラクタの前部領域に配置されている場合には、一般的なトラクタにて前部領域に搭載されるバランスウェイトの代わりに、動力噴霧器を搭載することにより、トラクタの重量バランスを著しく変更してしまうことがない。
【００１６】
上記揺動操作部が、トラクタの周囲に沿って引き回され且つ上記支持部材と接続されたロープ又はワイヤーにより構成されている場合には、作業者は、トラクタの周囲に沿って引き回されたロープ又はワイヤーを持って、その長手方向に引っ張ることにより、支持部材そして吹き出し用ノズルを左右に揺動させることができる。
【００１７】
上記ロープ又はワイヤーが、トラクタの運転位置付近に引き回されている場合には、作業者は、トラクタの運転席に座ってトラクタを操縦しながら、ロープ又はロープ又はワイヤーを引っ張ることにより、吹き出し用ノズルを左右に揺動させることができる。
【００１８】
動力噴霧器本体の駆動制御を行なう制御部が、トラクタ上に配置されている場合には、作業者は、トラクタ上にて例えば運転席に座ったままで、制御部を操作して、動力噴霧器本体の駆動制御を行なうことができる。従って、例えば水を引いた水田等においても、肥料・農薬等の噴霧作業を楽に行なうことができる。
【００１９】
【発明の実施の形態】
以下、この発明の好適な実施形態を図１乃至図４を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００２０】
図１は、本発明によるトラクタ搭載用動力噴霧器の一実施形態の構成を示している。
図１において、トラクタ搭載用動力噴霧器１０は、トラクタ２０に搭載された状態で図示されている。
ここで、トラクタ２０は、一般的な構成であって、内部にエンジン等を収容した車体２１と、車体２１の両側に配置された一対の前輪２２及び後輪２３と、更に車体２１の後部に設けられた運転席２４及びハンドル２５とを備えている。
尚、その他のトラクタの駆動制御のために必要な制御部も設けられているが、これらは本発明の要旨ではなく図１においては、省略されている。
【００２１】
上記トラクタ搭載用動力噴霧器１０は、図１に示すように、トラクタ２０の車体２１の前部に装着される取付部材１１と、上記取付部材１１上に搭載される動力噴霧器本体１２と、上記動力噴霧器本体１２から延びる肥料・農薬等の吹き出し用ノズル１３と、上記吹き出し用ノズル１３を支持する支持部材１４と、上記支持部材１４を左右に揺動させる揺動操作部１５と、を含んでいる。
【００２２】
上記取付部材１１は、トラクタ２０の車体２１の前部の下縁から前方に突出するように、車体２１に装着されている。
これにより、取付部材１１に対して動力噴霧器本体１２が載置されることによって、一般的にトラクタ２０の前部に取り付けられるバランスウェイトの代わりに、動力噴霧器本体１２が搭載されることになる。従って、動力噴霧器本体１２等の搭載により、トラクタ２０のバランスが大幅に崩れるようなことはない。
【００２３】
上記動力噴霧器本体１２は、公知の構成の作業者が背中に背負うタイプの動力噴霧器であって、図２及び図３に示すように構成されている。
尚、上述したように、トラクタ掲載専用の動力噴霧器を使用する場合には、上記吹き出し用ノズルが上記動力噴霧器本体の前方部に取り付けられる（不図示）。
動力噴霧器本体１２は、肥料・農薬等の肥料等を貯蔵するタンク１２ａと、タンク１２ａから供給される肥料等を吹き出し用ノズル１３に送出するノズル取付口１２ｂと、タンクから吹き出し用ノズルに対して肥料等を供給する肥料等供給部１２ｃと、肥料等供給部１２ｃを動作させる駆動部１２ｄと、駆動部１２ｄを駆動制御するための制御部としての制御レバー１２ｅと、から構成されている。
【００２４】
そして、ノズル取付口１２ｂには、前記吹き出し用ノズル１３が可撓性の接続ホース１２ｆを介して接続されている。
これにより、作業者が制御レバー１２ｅを操作して、駆動部１２ｄを駆動制御することにより、肥料等供給部１２ｃが動作して、タンク１２ａ内から肥料・農薬等の肥料等をノズル取付口１２ｂから接続ホース１２ｆを介して吹き出し用ノズル１３に供給し、吹き出し用ノズル１３の先端から肥料等が噴霧されるようになっている。
【００２５】
上記吹き出し用ノズル１３は、比較的長いパイプから構成されており、可撓性の接続ホース１２ｆを介して動力噴霧器本体１２のノズル取付口１２ｂに接続されていることにより、先端が自由に揺動され得るようになっている。
尚、上述したように、トラクタ掲載専用の動力噴霧器を使用する場合には、上記吹き出し用ノズルが上記動力噴霧器本体の前方部に取り付けられるが、この場合には上記吹き出し用ノズル１３は、比較的短いパイプから構成され得る（不図示）。
【００２６】
上記支持部材１４は、棒状の剛性部材から構成されており、後端が、前記取付部材１１上に設けられた支持部１１ａに対して左右に揺動可能に枢支されていると共に、前端が、吹き出し用ノズル１３の中間付近を吊下げ支持するようになっている。
これにより、支持部材１４が後端を支点として左右に揺動することにより、吹き出し用ノズル１３が左右に揺動され得ることになる。
【００２７】
上記揺動操作部１５は、図示の場合、トラクタ１０の周囲に沿って引き回されたロープ又はワイヤー１５ａから構成されている。このロープ又はワイヤー１５ａは、図４に示すように、トラクタ１０の前後の両側付近に設けられたガイドプーリ１５ｂに巻回されていると共に、トラクタ１０の前部領域にて、上記支持部材１４の中間付近に接続されている。
【００２８】
ここで、上記各ガイドプーリ１５ｂは、それぞれトラクタ１０の前後端の両側にてほぼ垂直に上方に向かって延びる支柱１５ｃの上端に回転可能に取り付けられている。
これにより、ロープ又はワイヤー１５ａが、図４にて矢印Ａで示すように、その長手方向に関して引っ張られることにより、支持部材１４が矢印Ｂで示すように、左右に揺動されるようになっている。
【００２９】
本発明実施形態によるトラクタ搭載用動力噴霧器１０は、以上のように構成されており、以下のように動作する。
先づ、作業者は、トラクタ２０の前部に搭載された動力噴霧器本体１２の制御レバー１２ｅを操作して、動力噴霧器本体１２の肥料等供給部１２ｃを動作させる。そして、作業者は、トラクタ２０に乗り込んで、運転席２４に座って、トラクタ２０を操縦する。
【００３０】
これにより、トラクタ２０は、肥料・農薬等の肥料等を噴霧しようとする田畑等を移動しながら、動力噴霧器本体１２の肥料等供給部１２ｃにより、タンク１２ａから接続ホース１２ｆを介して吹き出し用ノズル１３の先端から肥料等を噴霧する。
その際、作業者が、揺動操作部１５のロープ又はワイヤー１５ａを長手方向に引っ張ることにより、支持部材１４そして吹き出し用ノズル１３を左右に適宜に揺動させることにより、トラクタ２０の進行方向に関して、左右に広い範囲に亘って肥料等の噴霧を行なうことができる。
この場合、ロープ又はワイヤー１５ａは、作業者がトラクタ上から操作する都合上、手になじみ易い適宜太さの、好ましくは繊維状のロープやひもが適切である。
【００３１】
従って、作業者は、重い動力噴霧器を背中に背負う必要がなく、しかも市販の背中に背負うタイプの動力噴霧器をトラクタの前部に搭載することにより、トラクタにより移動しながら、肥料・農薬等の肥料等を噴霧することができるので、コストが低く抑制され得ると共に、作業者の労力が著しく軽減され得ることになる。これにより、特に水を引いた状態の水田や、広面積の田畑等であっても、容易に且つ短時間で肥料等の噴霧を行なうことができるので、作業者の負担がより一層軽減され得ることになる。
尚、上述したように、トラクタ掲載専用の動力噴霧器を使用する場合には、上述のように上記吹き出し用ノズルが上記動力噴霧器本体の前方部に取り付けられるが、この場合にも上記同様の作用がみられ、尚更に吹き出し用ノズルが動力噴霧器本体の前方部に取り付けられていることから、肥料等の噴霧がより円滑、効率良く行え得る。
【００３２】
又、作業者が、実際にトラクタ２０の進行方向を見ながら、自らの経験に基づいて、田畑等の状態に合わせて、運転席２４の脇に引き回されたロープ又はワイヤー１５ａを引っ張ることにより、吹き出し用ノズル１３を所望の方向に所望角度だけ揺動させることができるので、肥料・農薬等の肥料等を噴霧すべき田畑等に対応した、きめ細かい噴霧作業を行なうことができる。
【００３３】
ここで、図１にて点線で示すように、トラクタ２０の車体２１の側方に、サイドステップ２６を設けておくと、作業者は、トラクタ２０の運転席２４から、トラクタ２０を降りずにトラクタ２０の前部まで移動することができるので、特に水を引いた水田においては、水田に入ることなく、トラクタ２０上での移動により、動力噴霧器本体１２まで接近し、その制御レバー１２ｅを操作することができるので、作業が楽になる。
【００３４】
上述した実施形態においては、動力噴霧器本体１２の制御レバー１２ｅを操作する場合、作業者は、トラクタ２０を降りて、あるいはトラクタ２０のサイドステップ２６上を歩いて、動力噴霧器本体１２に接近して、操作を行なうようになっているが、これに限らず、制御レバー１２ｅに代わる制御部を、トラクタ２０の運転席２４付近に設けるようにしてもよい。この場合、作業者は、運転席２４に座ったまで、動力噴霧器本体１２の操作を行なうことができるので、より一層作業が容易になり、労力が軽減され得ることになる。
【００３５】
上記取付部材１１は、本実施態様においては、木材により構成されているが、これに限られないことはもとより、またその形状や構成はトラクタ２０及び車体２１の大きさや形状に合わせて、適宜調整し得ることは云うまでもない。
【００３６】
なお、上述した実施形態においては、動力噴霧器本体１２は既存の農耕トラクタ２０を利用するものであり、トラクタ２０上に噴霧肥料や農薬の追加分を搭載するスペースを設けることも可能であり、この場合には作業者は、噴霧肥料や農薬を追加する都度トラクタより下りて作業をする必要がない。
【００３７】
【発明の効果】
以上述べたように、本発明によれば、トラクタに装着された取付部材上に動力噴霧器本体が載置されることにより、作業者は、トラクタを操縦して移動しながら、動力噴霧器を動作させる。そして、揺動操作部を操作することにより支持部材を左右に揺動させて、吹き出し用ノズルを左右に揺動させることにより、トラクタの進行方向の両側の比較的広い範囲に亘って、動力噴霧器から吹き出し用ノズルを介して、肥料・農薬等を噴霧することができる。
【００３８】
この場合、動力噴霧器本体がトラクタ上に搭載されることになるので、作業者は動力噴霧器本体を背中に背負う必要がなく、トラクタの運転席に座った状態で、動力噴霧器により肥料・農薬等を噴霧することができる。これにより、特に水を引いた水田や、広い面積の田畑等であっても、作業者の負担が大幅に軽減され得ることになる。
又、吹き出し用ノズルは、作業者がトラクタの進行方向の田畑等を観察しながら、自らの経験と判断により、左右に揺動されることにより、適宜の肥料・農薬等の噴霧が行なわれ得る。
さらに、動力噴霧器本体は、市販のものがそのまま利用できるので、コストが高くなってしまうようなこともない。
尚又、トラクタ掲載専用の動力噴霧器を使用する場合には、上述のように上記吹き出し用ノズルが上記動力噴霧器本体の前方部に取り付けられ、この場合にも上記同様の作用効果がみられ、尚更に吹き出し用ノズルが動力噴霧器本体の前方部に取り付けられていることから、肥料等の噴霧がより円滑、効率良く行え得る。
このようにして、本発明によれば、簡単な構成により、トラクタに搭載するようにして、作業者の負担を軽減するようにした、極めて優れたトラクタ搭載用動力噴霧器が提供され得る。
【図面の簡単な説明】
【図１】本発明によるトラクタ搭載用動力噴霧器の一実施例をトラクタに搭載した状態を示す概略斜視図である。
【図２】図１のトラクタ搭載用動力噴霧器における動力噴霧器本体の具体的構成を示す左後方から見た斜視図である。
【図３】図２の動力噴霧器本体の右後方から見た斜視図である。
【図４】図１のトラクタ搭載用動力噴霧器における揺動操作部の構成を示す概略平面図である。
【符号の説明】
１０　　トラクタ搭載用動力噴霧器
１１　　取付部材
１２　　動力噴霧器本体
１２ａ　タンク
１２ｂ　ノズル取付口
１２ｃ　肥料等供給部
１２ｄ　駆動部
１２ｅ　制御レバー
１２ｆ　接続ホース
１３　　吹き出し用ノズル
１４　　支持部材
１５　　揺動操作部
１５ａ　ワイヤ
１５ｂ　ガイドプーリ
１５ｃ　支柱
２０　　トラクタ
２１　　車体
２２，２３　　車輪
２４　　運転席
２５　　ハンドル
２６　　サイドステップ
【図１】
2004049165.tif 000003
【図２】
2004049165.tif 000004
【図３】
2004049165.tif 000005
【図４】
2004049165.tif 000006